(57)【要約】【課題】構造が簡単で軽量であり、製作も容易で安価あり、その上、足場の上に突出部がないので作業員がつまずくことがなく安全に作業でき、しかも風が抜けるので強風でも外れるおそれがなく、可撓性があって保管や運搬が容易な足場板の隙間塞ぎマットを提供するものである。【解決手段】可撓性を有する長方形のプラスチック製のメッシュシート１３の各辺に沿って枠状に安全表示テープ１４が取付けられ、この安全表示テープ１４で囲ったメッシュシート１３の裏面に、その長手方向に沿って両端部と中心部に３本のプラスチックマグネット１５が取付けられ、隣接する足場板６の間の隙間１１を塞ぐように足場板６の端部に前記プラスチックマグネット１５で着脱自在に接着するものである。【選択図】  図１
0003208349.tif 000002
【実用新案登録請求の範囲】
【請求項１】
四角形状の可撓性を有するメッシュシートの裏面に、その辺部に沿ってマグネットを取付け、隣接する足場板の間の隙間を塞ぐように隣接する足場板の端部に前記マグネットで着脱自在に接着させるようにしたこと特徴とする足場板の隙間塞ぎマット。
【請求項２】
マグネットが可撓性を有する帯状のプラスチックマグネットで形成されていることを特徴とする請求項１記載の足場板の隙間塞ぎマット。
【請求項３】
請求項１の足場板の隙間塞ぎマットに、更にメッシュシートの表面の辺部に沿って枠状に安全表示テープを取付けたことを特徴とする足場板の隙間塞ぎマット。
【考案の詳細な説明】
【技術分野】
【０００１】
本考案は、建設現場等の仮設足場において踏板間の隙間を覆う隙間塞ぎマットに関するものである。
【背景技術】
【０００２】
建築現場や塗装現場などで使用される仮設足場には種々の形状のものがあるが、一般的には図７に示すように支柱パイプ２に所定の間隔でクランプ３を取付け、この左右のクランプ３の間に、足場横パイプ４を連結する。長手方向に沿った端部の両側に爪（フック）５を設けた足場板５を、足場横パイプ４に、爪５を引っ掛けて連続した足場７が構成されている。この足場７の左右両側には足場横パイプ４に連結したブラケット８で側板９が支持されている。
【０００３】
爪５を設けた足場板５の組立て構造上、隣接する足場板５の間に隙間１１が必然的に生じる。このような隙間１１があると、作業員がつまずいたり、工具が落下して下方の作業員に怪我をさせたりするおそれがある。
【０００４】
このため労働安全衛生規則で隙間１１は３ｃｍ以下にすることが規定され、近年隙間１１を塞ぐ板が開発されている。この隙間塞ぎ板としては、隙間よりも大きい幅を有する湾曲した天板の裏面に複数の筒体を向け、ここに断面半円形のフックを設けた脚部を着脱自在に設けた踏板隙間カバー（特許文献１）が開発されている。
【０００５】
この踏板隙間カバーは、任意の筒体に脚部を差し込んで、その下端の断面半円形のフックを、足場横パイプに嵌込んで連結することにより、天板で隙間を塞ぐようにしたものである。
【０００６】
しかしながらこの踏板隙間カバーは、足場の構造により脚部の位置を変えられるように脚部が筒体に着脱自在に取付けるようになっているので構造が複雑で部品点数が多く、成型が面倒である。しかも天板は硬質のプラスチック板で成型されているのでかさばる上、足場の上に全体が湾曲して突出しているので、ここに作業員がつまずく危険性があり、その上、風が抜けないので強風で外れるおそれがある。更に天板は重くかさばるので、保管や運搬も面倒であった。
【先行技術文献】
【特許文献】
【０００７】
【特許文献１】実用新案登録第３１８８９５９号
【考案の開示】
【考案が解決しようとする課題】
【０００８】
本考案は上記問題を改善し、構造が簡単で軽量で、製作も容易で安価あり、その上、足場の上に突出部がないので作業員がつまずくことがなく安全に作業でき、しかも風が抜けるので強風でも外れるおそれがなく、可撓性があって保管や運搬が容易な足場板の隙間塞ぎマットを提供するものである。
【課題を解決するための手段】
【０００９】
本考案の請求項１記載の足場板の隙間塞ぎマットは、四角形状の可撓性を有するメッシュシートの裏面に、その辺部に沿ってマグネットを取付け、隣接する足場板の間の隙間を塞ぐように隣接する足場板の端部に前記マグネットで着脱自在に接着させるようにしたこと特徴とするものである。
【００１０】
本考案の請求項２記載の足場板の隙間塞ぎマットは、請求項１において、マグネットが可撓性を有する帯状のプラスチックマグネットで形成されていることを特徴とするものである。
【００１１】
本考案の請求項３記載の足場板の隙間塞ぎマットは、請求項１において、更にメッシュシートの表面の辺部に沿って、枠状に安全表示テープを取付けたことを特徴とするものである。
【考案の効果】
【００１２】
本考案に係る請求項１記載の足場板の隙間塞ぎマットによれば、隣接する鋼板で形成された足場板の端部に載せるだけで磁性により接着して、隙間を塞ぐことができると共に、強風が吹いてもメッシュシートの網目から風が抜けるので剥れることがない。更に可撓性のあるメッシュシートとマグネットを組み合わせた簡単で且つ軽量な構造なので、足場への取付けや取外し作業が容易で、作業員がつまずくことがなく安全に作業すると共に、かさばらないので保管や運搬も容易である。
【００１３】
また請求項２記載の足場板の隙間塞ぎマットによれば、可撓性のあるメッシュシートと帯状のプラスチックマグネットを組み合わせた構造なので、足場への取付けや取外し作業が更に容易で、段差のある部分でも隙間を確実に塞ぐことができると共に、安価に製造することができる。
【００１４】
また請求項３記載の足場板の隙間塞ぎマットによれば、メッシュシートの辺部に沿って枠状に安全表示テープを取付けたので、夜間でも縞模様が表示され安全に作業することができる。
【図面の簡単な説明】
【００１５】
【図１】本考案の実施の一形態による足場板の隙間塞ぎマットを足場板の隙間に取付けた状態を示す平面図である。
【図２】図１の隙間に足場板の隙間塞ぎマットを取付けた状態を示す縦断面図である。
【図３】長方形をなす隙間塞ぎマットの斜視図である。
【図４】図３の隙間塞ぎマットを背面側から見た斜視図である。
【図５】正方形をなす隙間塞ぎマットの斜視図である。
【図６】図５の隙間塞ぎマットを背面側から見た斜視図である。
【図７】隣接する足場板の間に隙間がある状態を示す足場の平面図である。
【考案を実施するための最良の形態】
【００１６】
以下本考案の実施の一形態を図１ないし図６を参照して詳細に説明する。図１において１Ａは長方形の足場板の隙間塞ぎマットで、１Ｂは正方形の足場板の隙間塞ぎマットで、この２枚の隙間塞ぎマット１Ａ、１Ｂで隣接する足場板５、５の端部の隙間１１を塞いだものである。
【００１７】
長方形の足場板の隙間塞ぎマットは、図３および図４に示すように可撓性を有する長方形のプラスチック製のメッシュシート１３の各辺に沿って枠状に安全表示テープ１４が取付けられ、メッシュシート１３の端部を包むように折返されている。
【００１８】
プラスチック製のメッシュシート１３は、建設現場で足場７の外側を覆うのに使用されている通常のメッシュシートで、格子状の網目が形成され、可撓性に優れていると共に、強風に対する強度が優れたものである。また前記安全表示テープ１４は黒の斜線と黄色の斜線を交互に縞状に印刷したプラスチックテープで、裏面に接着剤が塗布されたものである。
【００１９】
この安全表示テープ１４で囲ったメッシュシート１３の裏面に図４に示すように、その長手方向に沿って両端部と中心部に３本の帯状のプラスチックマグネット１５が取付けられている。このプラスチックマグネット１５はマグネットの粉末を軟質なプラスチックに混合して帯状に成型したものである。このプラスチックマグネット１５とメッシュシート１３および安全表示テープ１４は縫製により一体になっている。
【００２０】
図５および図６は正方形の足場板の隙間塞ぎマット１Ｂで、構造は隙間塞ぎマット１Ａと同様であり、足場７の形状に合わせて隙間塞ぎマット１Ａと組み合わせて使用する。
【００２１】
上記構成の足場板の隙間塞ぎマット１Ａ、１Ｂは、図７に示すように、隣接する足場板６、６の間の隙間１１に、図１に示すように隙間塞ぎマット１Ａ、１Ｂを足場板６の横幅に合わせて載せると、足場板６は鋼板で形成されているのでプラスチックマグネット１５の磁性により接着して隙間１１を塞ぎ、隙間部分を歩いてもずれて移動しない。また強風が吹いてもメッシュシート１３の格子状の網目から風が抜けるので剥れることがない。更に安全表示テープ１４で囲ってあるので、夜間でも縞模様が表示され安全に作業することができる。
【００２２】
従って本考案の足場板の隙間塞ぎマット１Ａ、１Ｂは可撓性のあるメッシュシート１３とプラスチックマグネット１５を組み合わせた簡単で且つ軽量な構造なので、足場７への取付けや取外し作業が容易である。また隙間塞ぎマット１Ａ、１Ｂは平板状で、従来品のように全体が上方に湾曲した硬い突起部がないので、作業員がつまずくことがなく安全に作業すると共に、かさばらないので保管や運搬も容易である。更に隣接する足場板６に段差のある部分でも可撓性があるので確実に接着することができる。
【００２３】
なお上記説明ではメッシュシート１３の周囲を安全表示テープ１４で囲った場合について説明したが、他のテープや布で囲った構造でも良い。またプラスチックマグネット１５の代わりに、マグネットの粉末をゴムに混合して成型したものや、あるいは固形の平板状や円板状など複数個のマグネットを取付けた構造でも良い。
【符号の説明】
【００２４】
１Ａ、１Ｂ  隙間塞ぎマット                  
２    支柱パイプ        
３    クランプ          
４    足場横パイプ        
５    爪          
６    足場板      
７    足場      
８    ブラケット  
９    側板  
１１  隙間
１３  メッシュシート  
１４  安全表示テープ  
１５  プラスチックマグネット  
【図１】
0003208349.tif 000003
【図２】
0003208349.tif 000004
【図３】
0003208349.tif 000005
【図４】
0003208349.tif 000006
【図５】
0003208349.tif 000007
【図６】
0003208349.tif 000008
【図７】
0003208349.tif 000009